【手続補正書】
【提出日】平成22年4月8日(2010.4.8)
【手続補正１】
【補正対象書類名】特許請求の範囲
【補正対象項目名】全文
【補正方法】変更
【補正の内容】
【特許請求の範囲】
【請求項１】
動画像を撮像する撮像装置であって、
前記動画像を構成する複数の画像フレームの中から、動画像の解像度変換処理における参照画像フレームとして使用すべき画像フレームを判定する判定手段と、
前記判定手段によって判定された前記参照画像フレームから参照画像データファイルを生成するファイル生成手段と、
前記複数の画像フレームの解像度を落とし、当該解像度が落とされた複数の画像フレームから符号化動画像データファイルを生成する符号化手段と、
前記参照画像フレームを特定する情報を生成する情報生成手段と、
前記情報生成手段が生成した前記参照画像フレームを特定する情報と、前記参照画像データファイルを特定する情報とを関連付けたリストを生成するリスト生成手段と、
前記参照画像データファイルと、前記符号化動画像データファイルと、前記リストとを第１の記憶装置に記録する第１の記録制御手段とを有し、
前記判定手段は、前記符号化動画像データファイルを復号して得られる動画像の解像度を上げるために使用すべき参照画像フレームを判定することを特徴とする撮像装置。
【請求項２】
前記判定手段が、前記複数の画像フレームのうち、前の画像フレームからシーン変化があると判定される画像フレームを前記参照画像フレームと判定することを特徴とする請求項１記載の撮像装置。
【請求項３】
前記参照画像フレームに関する情報を蓄積する蓄積手段をさらに有し、
前記判定手段が、前記参照画像フレームが前記複数の画像フレームの中から新たに判定された場合、前記蓄積手段を参照し、類似した画像フレームが既に参照画像フレームとして用いられているか否か判定し、
前記リスト生成手段は、前記類似した画像フレームが既に参照画像フレームとして用いられていると判定された場合には、前記リストにおいて、当該類似した画像フレームから生成された参照画像データファイルを特定する情報と、前記新たに判定された参照画像フレームを特定する情報とを対応付けることを特徴とする請求項１記載の撮像装置。
【請求項４】
複数の撮影モードのうちいずれかをユーザが設定するための撮影モード設定手段と、
前記複数の撮影モードの各々と、前記複数の撮影モードの各々で撮影された画像が有すると考えられる代表的な画像の特徴を表す情報とを対応付けて記憶する記憶手段とをさらに有し、
前記判定手段が、前記記憶手段を参照して、前記複数の画像フレームのうち、前記撮影モード設定手段により設定されている撮影モードに対応する前記代表的な画像の特徴を有すると判定される画像フレームを、前記参照画像フレームと判定することを特徴とする請求項１記載の撮像装置。
【請求項５】
前記第１の記憶装置から前記参照画像データファイルを読み出す第１の読出手段と、
前記読み出した前記参照画像データファイルに含まれる参照画像フレームから、前記符号化動画像データファイルを構成する画像フレームと等しい解像度を有する低解像度の参照画像フレームを生成する解像度低減手段と、
前記参照画像フレームと前記低解像度の参照画像フレームとから、前記符号化動画像データファイルを構成する画像フレームの解像度を向上させるための解像度変換テーブルを生成し、生成した解像度変換テーブルを前記第１の記録制御手段に出力する解像度変換テーブル生成手段と、
前記第１の記憶装置から前記リストを読み出す第２の読出手段と、
前記リストに、前記解像度変換テーブルを対応付け、前記第１の記録制御手段に出力するリスト編集手段とをさらに有し、
前記第１の記録制御手段が、前記解像度変換テーブルと、前記リスト編集手段からのリストを前記第１の記憶装置に記録することを特徴とする請求項１記載の撮像装置。
【請求項６】
前記第１の記録制御手段が、前記解像度変換テーブルの生成に使用された前記参照画像データファイルを、前記第１の記憶装置から削除することを特徴とする請求項５記載の撮像装置。
【請求項７】
請求項１乃至請求項４のいずれか１項に記載の撮像装置から、前記参照画像データファイルと、前記符号化動画像データファイルと、前記リストを取得し、第２の記憶装置に記憶する取得手段と、
前記第２の記憶装置から前記参照画像データファイルを読み出す第１の読出手段と、
前記読み出した前記参照画像データファイルに含まれる参照画像フレームから、前記符号化動画像データファイルを構成する画像フレームと等しい解像度を有する低解像度の参照画像フレームを生成する解像度低減手段と、
前記参照画像データファイルに含まれる参照画像フレームと前記低解像度の参照画像フレームとから、前記符号化動画像データファイルを構成する画像フレームの解像度を向上させるための解像度変換テーブルを生成する解像度変換テーブル生成手段と、
前記第２の記憶装置から前記リストを読み出す第２の読出手段と、
前記リストに、前記解像度変換テーブルを対応付けて出力するリスト編集手段とをさらに有し、
前記リスト編集手段が出力するリストと、前記解像度変換テーブルとを前記第２の記憶装置に記録する第２の記録制御手段と、
前記符号化動画像データファイルを復号化し、前記符号化動画像データファイルを構成する画像フレームを出力する復号化手段と、
前記復号化手段が出力する画像フレームに、前記リスト編集手段が出力するリストに基づく前記解像度変換テーブルを適用し、解像度変換を行う解像度変換手段と、
前記解像度変換された画像フレームを出力する出力手段とを有することを特徴とする画像処理装置。
【請求項８】
請求項５又は請求項６記載の撮像装置から、前記符号化動画像データファイルと、前記リスト編集手段が出力するリストと、前記解像度変換テーブルとを取得し、第２の記憶装置に記憶する取得手段と、
前記符号化動画像データファイルを復号化し、前記符号化動画像データファイルを構成する画像フレームを出力する復号化手段と、
前記復号化手段が出力する画像フレームに、前記リスト編集手段が出力するリストに基づく前記解像度変換テーブルを適用し、解像度変換を行う解像度変換手段と、
前記解像度変換された画像フレームを出力する出力手段とを有することを特徴とする画像処理装置。
【請求項９】
動画像を撮像する撮像装置の制御方法であって、
判定手段が、前記動画像を構成する複数の画像フレームの中から、参照画像フレームとして使用すべき画像フレームを判定する判定ステップと、
ファイル生成手段が、前記判定ステップによって判定された参照画像フレームから参照画像データファイルを生成するファイル生成ステップと、
符号化手段が、前記複数の画像フレームの解像度を落とし、当該解像度が落とされた複数の画像フレームから符号化動画像データファイルを生成する符号化ステップと、
情報生成手段が、前記参照画像フレームを特定する情報を生成する情報生成ステップと、
リスト生成手段が、前記情報生成ステップで生成した前記参照画像フレームを特定する情報と、前記参照画像データファイルを特定する情報とを関連付けたリストを生成するリスト生成ステップと、
第１の記録制御手段が、前記参照画像データファイルと、前記符号化動画像データファイルと、前記リストとを第１の記憶装置に記録する第１の記録制御ステップとを有し、
前記判定ステップにおいて、前記判定手段は、前記符号化動画像データファイルを復号して得られる動画像の解像度を上げるために使用すべき参照画像フレームを判定することを特徴とする撮像装置の制御方法。
【請求項１０】
前記判定ステップにおいて、前記判定手段は、前記複数の画像フレームのうち、前の画像フレームからシーン変化があると判定される画像フレームを前記参照画像フレームと判定することを特徴とする請求項９記載の撮像装置の制御方法。
【請求項１１】
前記参照画像フレームに関する情報を蓄積装置に蓄積する蓄積ステップをさらに有し、
前記判定ステップにおいて、前記判定手段は、前記参照画像フレームが前記複数の画像フレームの中から新たに判定された場合、前記蓄積装置を参照し、類似した画像フレームが既に参照画像フレームとして用いられているか否か判定し、
前記リスト生成ステップにおいて、前記リスト生成手段は、前記類似した画像フレームが既に参照画像フレームとして用いられていると判定された場合には、前記リストにおいて、当該類似した画像フレームから生成された参照画像データファイルを特定する情報と、前記新たに判定された参照画像フレームを特定する情報とを対応付けることを特徴とする請求項９記載の撮像装置の制御方法。
【請求項１２】
前記撮像装置が、
複数の撮影モードのうちいずれかをユーザが設定するための撮影モード設定手段と、
前記複数の撮影モードの各々と、前記複数の撮影モードの各々で撮影された画像が有すると考えられる代表的な画像の特徴を表す情報とを対応付けて記憶する記憶手段とをさらに有し、
前記判定ステップにおいて、前記判定手段は、前記記憶手段を参照して、前記複数の画像フレームのうち、前記撮影モード設定手段により設定されている撮影モードに対応する前記代表的な画像の特徴を有すると判定される画像フレームを、前記参照画像フレームと判定することを特徴とする請求項９記載の撮像装置の制御方法。
【請求項１３】
第１の読出手段が、前記第１の記憶装置から前記参照画像データファイルを読み出す第１の読出ステップと、
解像度低減手段が、前記読み出した前記参照画像データファイルに含まれる参照画像フレームから、前記符号化動画像データファイルを構成する画像フレームと等しい解像度を有する低解像度の参照画像フレームを生成する解像度低減ステップと、
解像度変換テーブル生成手段が、前記参照画像フレームと前記低解像度の参照画像フレームとから、前記符号化動画像データファイルを構成する画像フレームの解像度を向上させるための解像度変換テーブルを生成し、生成した解像度変換テーブルを前記第１の記録制御手段に出力する解像度変換テーブル生成ステップと、
第２の読出手段が、前記第１の記憶装置から前記リストを読み出す第２の読出ステップと、
リスト編集手段が、前記リストに、前記解像度変換テーブルを対応付け、前記第１の記録制御手段に出力するリスト編集ステップとをさらに有し、
前記第１の記録制御ステップにおいて、前記第１の記録制御手段が、前記解像度変換テーブルと、前記リスト編集手段からのリストを前記第１の記憶装置に記録することを特徴とする請求項９記載の撮像装置の制御方法。
【請求項１４】
前記第１の記録制御ステップにおいて、前記第１の記録制御手段が、前記解像度変換テーブルの生成に使用された前記参照画像データファイルを、前記第１の記憶装置から削除することを特徴とする請求項１３記載の撮像装置の制御方法。
【請求項１５】
請求項１乃至請求項４のいずれか１項に記載の撮像装置と接続される画像処理装置の制御方法であって、
前記参照画像データファイルと、前記符号化動画像データファイルと、前記リストを取得し、第２の記憶装置に記憶する取得ステップと、
前記第２の記憶装置から前記参照画像データファイルを読み出す第１の読出ステップと、
前記読み出した前記参照画像データファイルに含まれる参照画像フレームから、前記符号化動画像データファイルを構成する画像フレームと等しい解像度を有する低解像度の参照画像フレームを生成する解像度低減ステップと、
前記参照画像データファイルに含まれる参照画像フレームと前記低解像度の参照画像フレームとから、前記符号化動画像データファイルを構成する画像フレームの解像度を向上させるための解像度変換テーブルを生成する解像度変換テーブル生成ステップと、
前記第２の記憶装置から前記リストを読み出す第２の読出ステップと、
前記リストに、前記解像度変換テーブルを対応付けて出力するリスト編集ステップとをさらに有し、
前記リスト編集ステップが出力するリストと、前記解像度変換テーブルとを前記第２の記憶装置に記録する第２の記録制御ステップと、
前記符号化動画像データファイルを復号化し、前記符号化動画像データファイルを構成する画像フレームを出力する復号化ステップと、
前記復号化ステップが出力する画像フレームに、前記リスト編集ステップが出力するリストに基づく前記解像度変換テーブルを適用し、解像度変換を行う解像度変換ステップと、
前記解像度変換された画像フレームを出力装置に出力する出力ステップとを有することを特徴とする画像処理装置の制御方法。
【請求項１６】
請求項５又は請求項６記載の撮像装置と接続される画像処理装置の制御方法であって、
前記符号化動画像データファイルと、前記リスト編集手段が出力するリストと、前記解像度変換テーブルとを取得し、第２の記憶装置に記憶する取得ステップと、
前記符号化動画像データファイルを復号化し、前記符号化動画像データファイルを構成する画像フレームを出力する復号化ステップと、
前記復号化ステップが出力する画像フレームに、前記リスト編集手段が出力するリストに基づく前記解像度変換テーブルを適用し、解像度変換を行う解像度変換ステップと、
前記解像度変換された画像フレームを出力装置に出力する出力ステップとを有することを特徴とする画像処理装置の制御方法。
【手続補正２】
【補正対象書類名】明細書
【補正対象項目名】発明の名称
【補正方法】変更
【補正の内容】
【発明の名称】撮像装置、画像処理装置及びそれらの制御方法
【手続補正３】
【補正対象書類名】明細書
【補正対象項目名】０００１
【補正方法】変更
【補正の内容】
【０００１】
本発明は、撮像装置、画像処理装置及びそれらの制御方法に関する。
【手続補正４】
【補正対象書類名】明細書
【補正対象項目名】０００７
【補正方法】変更
【補正の内容】
【０００７】
上述の目的の１つは、動画像を撮像する撮像装置であって、動画像を構成する複数の画像フレームの中から、動画像の解像度変換処理における参照画像フレームとして使用すべき画像フレームを判定する判定手段と、判定手段によって判定された参照画像フレームから参照画像データファイルを生成するファイル生成手段と、複数の画像フレームの解像度を落とし、当解像度が落とされた複数の画像フレームから符号化動画像データファイルを生成する符号化手段と、参照画像フレームを特定する情報を生成する情報生成手段と、情報生成手段が生成した参照画像フレームを特定する情報と、参照画像データファイルを特定する情報とを関連付けたリストを生成するリスト生成手段と、参照画像データファイルと、符号化動画像データファイルと、リストとを第１の記憶装置に記録する第１の記録制御手段とを有し、判定手段は、符号化動画像データファイルを復号して得られる動画像の解像度を上げるために使用すべき参照画像フレームを判定することを特徴とする撮像装置によって達成される。
【手続補正５】
【補正対象書類名】明細書
【補正対象項目名】０００８
【補正方法】変更
【補正の内容】
【０００８】
また、上述の目的の１つは、本発明の撮像装置から、参照画像データファイルと、符号化動画像データファイルと、リストを取得し、第２の記憶装置に記憶する取得手段と、第２の記憶装置から参照画像データファイルを読み出す第１の読出手段と、読み出した参照画像データファイルに含まれる参照画像フレームから、符号化動画像データファイルを構成する画像フレームと等しい解像度を有する低解像度の参照画像フレームを生成する解像度低減手段と、参照画像データファイルに含まれる参照画像フレームと低解像度の参照画像フレームとから、符号化動画像データファイルを構成する画像フレームの解像度を向上させるための解像度変換テーブルを生成する解像度変換テーブル生成手段と、第２の記憶装置からリストを読み出す第２の読出手段と、リストに、解像度変換テーブルを対応付けて出力するリスト編集手段とをさらに有し、リスト編集手段が出力するリストと、解像度変換テーブルとを第２の記憶装置に記録する第２の記録制御手段と、符号化動画像データファイルを復号化し、符号化動画像データファイルを構成する画像フレームを出力する復号化手段と、復号化手段が出力する画像フレームに、リスト編集手段が出力するリストに基づく解像度変換テーブルを適用し、解像度変換を行う解像度変換手段と、解像度変換された画像フレームを出力する出力手段とを有することを特徴とする画像処理装置によっても達成される。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
また、上述の目的の１つは、動画像を撮像する撮像装置の制御方法であって、判定手段が、動画像を構成する複数の画像フレームの中から、参照画像フレームとして使用すべき画像フレームを判定する判定ステップと、ファイル生成手段が、判定ステップによって判定された参照画像フレームから参照画像データファイルを生成するファイル生成ステップと、符号化手段が、複数の画像フレームの解像度を落とし、当解像度が落とされた複数の画像フレームから符号化動画像データファイルを生成する符号化ステップと、情報生成手段が、参照画像フレームを特定する情報を生成する情報生成ステップと、リスト生成手段が、情報生成ステップで生成した参照画像フレームを特定する情報と、参照画像データファイルを特定する情報とを関連付けたリストを生成するリスト生成ステップと、第１の記録制御手段が、参照画像データファイルと、符号化動画像データファイルと、リストとを第１の記憶装置に記録する第１の記録制御ステップとを有し、判定ステップにおいて、判定手段は、符号化動画像データファイルを復号して得られる動画像の解像度を上げるために使用すべき参照画像フレームを判定することを特徴とする撮像装置の制御方法によっても達成される。
【手続補正８】
【補正対象書類名】明細書
【補正対象項目名】００１１
【補正方法】変更
【補正の内容】
【００１１】
また、上述の目的の１つは、本発明の撮像装置と接続される画像処理装置の制御方法であって、参照画像データファイルと、符号化動画像データファイルと、リストを取得し、第２の記憶装置に記憶する取得ステップと、第２の記憶装置から参照画像データファイルを読み出す第１の読出ステップと、読み出した参照画像データファイルに含まれる参照画像フレームから、符号化動画像データファイルを構成する画像フレームと等しい解像度を有する低解像度の参照画像フレームを生成する解像度低減ステップと、参照画像データファイルに含まれる参照画像フレームと低解像度の参照画像フレームとから、符号化動画像データファイルを構成する画像フレームの解像度を向上させるための解像度変換テーブルを生成する解像度変換テーブル生成ステップと、第２の記憶装置からリストを読み出す第２の読出ステップと、リストに、解像度変換テーブルを対応付けて出力するリスト編集ステップとをさらに有し、リスト編集ステップが出力するリストと、解像度変換テーブルとを第２の記憶装置に記録する第２の記録制御ステップと、符号化動画像データファイルを復号化し、符号化動画像データファイルを構成する画像フレームを出力する復号化ステップと、復号化ステップが出力する画像フレームに、リスト編集ステップが出力するリストに基づく解像度変換テーブルを適用し、解像度変換を行う解像度変換ステップと、解像度変換された画像フレームを出力装置に出力する出力ステップとを有することを特徴とする画像処理装置の制御方法によっても達成される。